(57)【要約】  広帯域無線通信システムで匿名（ａｎｏｎｙｍｏｕｓ）で割り当てられたリソースに対してＨＡＲＱ（Ｈｙｂｒｉｄ  Ａｕｔｏｍａｔｉｃ  Ｒｅｐｅａｔ  ｒｅＱｕｅｓｔ）を支援するための装置及び方法が提供される。端末の方法は、基地局から受信されるメッセージを介してＨＡＲＱ支援レンジングコードの分類情報を獲得する過程と、匿名で割り当てられるリソースを要求するために前記ＨＡＲＱ支援レンジングコードのうち１つをを送信する過程と、ＨＡＲＱ関連情報及び匿名のリソース割り当て情報を含むリソース割り当てメッセージを受信する過程と、前記リソース割り当て情報に応じてレンジング要求メッセージまたは帯域要求ヘッダを送信する過程と、を含む。
2013526230.tif 000002
【特許請求の範囲】
【請求項１】
無線通信システムにおける端末の動作方法において、
基地局から受信されるメッセージから再送を支援することを知らせるレンジングコードを含む第１レンジングコードセットの情報を獲得する過程と、
レンジングに対する再送が可能であることを知らせレンジングのためのリソースを要求するために、前記第１レンジングコードセットのうち１つのレンジングコードを送信する過程と、
匿名のリソース割り当て情報を含むリソース割り当てメッセージを受信する過程と、
前記リソース割り当て情報に応じてレンジング要求メッセージ又は帯域要求ヘッダを送信する過程と、を含むことを特徴とする方法。
【請求項２】
前記端末に対する匿名のリソース割り当て情報を含むリソース割り当てメッセージを再受信する過程と、
再受信されたリソース割り当て情報に応じて前記レンジング要求メッセージ又は前記帯域要求ヘッダを再送する過程と、をさらに含むことを特徴とする請求項１に記載の方法。
【請求項３】
無線通信システムにおける端末装置において、
基地局から受信されるメッセージから再送を支援することを知らせるレンジングコードを含む第１レンジングコードセットの情報を獲得する制御部と、
レンジングに対する再送が可能であることを知らせレンジングのためのリソースを要求するために、前記第１レンジングコードセットのうち１つのレンジングコードを送信し、匿名のリソース割り当て情報を含むリソース割り当てメッセージを受信し、前記リソース割り当て情報に応じてレンジング要求メッセージ又は帯域要求ヘッダを送信するモデムと、を含むことを特徴とする装置。
【請求項４】
前記モデムは、前記端末に対する匿名のリソース割り当て情報を含むリソース割り当てメッセージを再受信し、再受信されたリソース割り当て情報に応じて前記レンジング要求メッセージ又は前記帯域要求ヘッダを再送することを特徴とする請求項３に記載の装置。
【請求項５】
無線通信システムにおける基地局の動作方法において、
少なくとも１つの端末に再送を支援することを知らせるレンジングコードを含む第１レンジングコードセットの情報を含むメッセージを送信する過程と、
レンジングチャネルで前記第１レンジングコードセットのうち１つのレンジングコードが検出されると、前記第１レンジングコードセットのうち１つのレンジングコードを送信した端末がレンジングに対する再送が可能であることを認知する過程と、
前記端末にレンジングのためのリソースを割り当てる匿名のリソース割り当て情報を含むリソース割り当てメッセージを送信する過程と、を含むことを特徴とする方法。
【請求項６】
前記端末に割り当てられたリソースを介してレンジング要求メッセージ又は帯域要求ヘッダの受信を試みる過程と、
前記レンジング要求メッセージ又は前記帯域要求ヘッダの受信に失敗すると、前記匿名のリソース割り当て情報を含むリソース割り当てメッセージを再送する過程と、をさらに含むことを特徴とする請求項５に記載の方法。
【請求項７】
無線通信システムにおける基地局装置において、
少なくとも１つの端末に再送を支援することを知らせるレンジングコードを含む第１レンジングコードセットの情報を含むメッセージを送信するモデムと、
レンジングチャネルで前記第１レンジングコードセットのうち１つのレンジングコード検出されると、前記第１レンジングコードセットのうち１つのレンジングコードを送信した端末がレンジングに対する再送が可能であることを認知する制御部と、を含み、
前記モデムは、前記端末にレンジングのためのリソースを割り当てる匿名のリソース割り当て情報を含むリソース割り当てメッセージを送信することを特徴とする装置。
【請求項８】
前記制御部は、前記端末に割り当てられたリソースを介してレンジング要求メッセージ又は帯域要求ヘッダの受信を試み、
前記モデムは、前記制御部が前記レンジング要求メッセージ又は前記帯域要求ヘッダの受信に失敗すると、前記匿名のリソース割り当て情報を含むリソース割り当てメッセージを再送することを特徴とする請求項７に記載の装置。
【請求項９】
前記第１レンジングコードの情報は、前記再送を支援することを知らせるレンジングコードの範囲をコード個数又はコードインデックスに定義することを特徴とする請求項１、３、５、または７に記載の方法又は装置。
【請求項１０】
前記匿名のリソース割り当て情報は、前記送信されたレンジングコードのインデックス及び前記送信されたレンジングコードを運んだフレームインデックスを介して前記端末を示すことを特徴とする請求項１、３、５、または７に記載の方法又は装置。
【請求項１１】
前記リソース割り当てメッセージは、再送関連情報を含むことを特徴とする請求項１または３に記載の方法又は装置。
【請求項１２】
前記リソース割り当てメッセージは、前記端末以外の前記端末と同じフレームでレンジングコードを送信した他の端末に対する匿名のリソース割り当て情報及び再送関連情報を含むことを特徴とする請求項１１に記載の方法又は装置。
【請求項１３】
前記リソース割り当てメッセージは、再送関連情報を含むことを特徴とする請求項５または７に記載の方法又は装置。
【請求項１４】
前記リソース割り当てメッセージは、同じフレームで前記第１レンジングコードセットのうち複数のレンジングコードが検出された場合、前記複数のレンジングコードを送信した端末のそれぞれに対する匿名のリソース割り当て情報及び再送関連情報を含むことを特徴とする請求項１３に記載の方法又は装置。
【請求項１５】
前記リソース割り当てメッセージは、ＣＤＭＡ＿Ａｌｌｏｃａｔｉｏｎ＿ＩＥであることを特徴とする請求項１、３、５、または７に記載の方法又は装置。
【発明の詳細な説明】
【技術分野】
【０００１】
本発明は広帯域無線通信システムに関し、特に、広帯域無線通信システムで匿名で割り当てられたリソースに対してハイブリッド自動再送要求を支援するための装置及び方法に関する。
【背景技術】
【０００２】
無線通信システム技術の発展に伴い、既存のシステムと新しいシステムとが共存しなければならない場合がある。この場合、既存のシステムと新しいシステムとの間の互換性の問題が発生する。例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６システムのうち１つのＩＥＥＥ８０２．１６ｅシステムが現在存在しており、既存に設置されたＩＥＥＥ８０２．１６ｅシステムの性能を向上させるための改善作業が進行中である。
【０００３】
前記ＩＥＥＥ８０２．１６ｅシステムで性能向上のための方法の一例として、アップリンク管理メッセージ（ｕｐｌｉｎｋ  ｍａｎａｇｅｍｅｎｔ  ｍｅｓｓａｇｅ）に対するＨＡＲＱ（Ｈｙｂｒｉｄ  Ａｕｔｏｍａｔｉｃ  Ｒｅｐｅａｔ  ｒｅＱｕｅｓｔ）を適用することがある。前記アップリンク管理メッセージにＨＡＲＱを適用すると、カバレッジの増大効果が発生し、これによってシステムはさらに広い地域にいるユーザを支援できる。前記ＩＥＥＥ８０２．１６ｅシステムの現在の規格では部分的にＨＡＲＱの適用を支援するが、端末がレンジングコード（ｒａｎｇｉｎｇ  ｃｏｄｅ）伝送後に伝送するＲＮＧ−ＲＥＱ（ＲＮＧｉｎｇ−ＲＥＱｅｓｔ）、ＢＲＨ（Ｂａｎｄｗｉｄｔｈ  ｒｅｑｕｅｓｔ  ｈｅａｄｅｒ）などに対してはＨＡＲＱ適用が支援されていないのが現状である。
【０００４】
端末が基地局からリソースを割り当てられていない場合、端末はリソース割り当てを要求するために任意のレンジングコードを伝送する。端末は互いにそれぞれ任意のレンジングコードを選択する。前記端末が偶然同じレンジングコードを選択した場合、衝突が発生する。そのため、一定時間の後、再び任意のレンジングコードを選択及び伝送する。任意のレンジングコードを成功裏に受信した基地局はどの端末がレンジングコードを伝送したかがわからないので、一般的なリソース割り当て情報の代りに、ＣＤＭＡ＿Ａｌｌｏｃａｔｉｏｎ＿ＩＥ（Ｃｏｄｅ  Ｄｉｖｉｓｉｏｎ  Ｍｕｌｔｉｐｌｅ  Ａｃｃｅｓｓ  ａｌｌｏｃａｔｉｏｎ  Ｉｎｆｏｒｍａｔｉｏｎ  ＩＥ）と呼ばれるマップ（ＭＡＰ）ＩＥ（Ｉｎｆｏｒｍａｔｉｏｎ  Ｅｌｅｍｅｎｔ）を用いてリソースを割り当てる。一般的なリソース割り当てマップの場合、前記マップを受信すべき端末を代表するＩＤ（ＩＤｅｎｔｉｆｉｅｒ）、割り当てるリソース量及び割り当て位置を含む。しかし、前記ＣＤＭＡ＿Ａｌｌｏｃａｔｉｏｎ＿ＩＥの場合、受信したレンジングコードのインデックス及びレンジングコードを受信した位置のフレーム番号によって端末が識別され、識別された端末に割り当てられるリソース量及び割り当て位置情報が含まれる。
【０００５】
現在、前記ＣＤＭＡ＿Ａｌｌｏｃａｔｉｏｎ＿ＩＥに割り当てるリソースに対してはＨＡＲＱ適用を支援していないので、前記ＣＤＭＡ＿Ａｌｌｏｃａｔｉｏｎ＿ＩＥはＨＡＲＱ関連情報を含まない。しかし、前記ＣＤＭＡ＿Ａｌｌｏｃａｔｉｏｎ＿ＩＥに割り当てるリソースに対してはＨＡＲＱを適用するために前記ＣＤＭＡ＿Ａｌｌｏｃａｔｉｏｎ＿ＩＥのフォーマット（ｆｏｒｍａｔ）を変更した場合、既存端末との互換性が失われる問題が発生する。
【先行技術文献】
【特許文献】
【０００６】
【特許文献１】米国特許出願公開第２０１０−００４１３９９号明細書
【特許文献２】米国特許出願公開第２０１０−００２７４６２号明細書
【特許文献３】米国特許出願公開第２００７−０１９１００９号明細書
【発明の概要】
【発明が解決しようとする課題】
【０００７】
本発明の目的は、上述した問題点及び短所を解決して後述する少なくとも１つの長所を提供することにある。したがって、本発明の目的は、広帯域無線通信システムで匿名で割り当てられるリソースに対してＨＡＲＱを支援するための装置及び方法を提供することにある。
【０００８】
本発明の他の目的は、広帯域無線通信システムで匿名で割り当てられるリソースにＨＡＲＱを支援できる端末を識別するための装置及び方法を提供することにある。
【０００９】
本発明のさらに他の目的は、広帯域無線通信システムでレンジングコードをＨＡＲＱの適用を受けるリソース割り当てのために定義されたレンジングコード及びＨＡＲＱの適用を受けないリソース割り当てのために定義されたレンジングコードに分類して管理するための装置及び方法を提供することにある。
【課題を解決するための手段】
【００１０】
上記目的を達成するための本発明の第１見地によれば、広帯域無線通信システムにおける端末の動作方法が提供される。前記方法は、基地局から受信されるメッセージを介して再送を支援することを知らせるレンジングコードを含む第１レンジングコードセットの情報を獲得する過程と、レンジングに対する再送が可能であることを知らせレンジングのためのリソースを要求するために、前記第１レンジングコードセットのうち１つのレンジングコードを送信する過程と、匿名のリソース割り当て情報を含むリソース割り当てメッセージを受信する過程と、前記リソース割り当て情報に応じてレンジング要求メッセージまたは帯域要求ヘッダを送信する過程と、を含むことを特徴とする。
【００１１】
上記目的を達成するための本発明の第２見地によれば、広帯域無線通信システムにおける基地局の動作方法が提供される。前記方法は、少なくとも１つの端末に再送を支援することを知らせるレンジングコードを含む第１レンジングコードセットの情報を含むメッセージを送信する過程と、レンジングチャネルで前記第１レンジングコードセットのうち１つが検出されると、前記第１レンジングコードセットのうち１つを送信した端末がレンジングに対する再送が可能であることを認知する過程と、前記端末にレンジングのためのリソースを割り当てる匿名のリソース割り当て情報を含むリソース割り当てメッセージを送信する過程と、を含むことを特徴とする。
【００１２】
上記目的を達成するための本発明の第３見地によれば、広帯域無線通信システムにおける端末装置が提供される。前記装置は、基地局から受信されるメッセージを介して再送を支援することを知らせるレンジングコードを含む第１レンジングコードセットの情報を獲得する制御部と、レンジングに対する再送が可能であることを知らせレンジングのためのリソースを要求するために、前記第１レンジングコードセットのうち１つのレンジングコードを送信し、匿名のリソース割り当て情報を含むリソース割り当てメッセージを受信し、前記リソース割り当て情報に応じてレンジング要求メッセージ又は帯域要求ヘッダを送信するモデムと、を含むことを特徴とする。
【００１３】
上記目的を達成するための本発明の第４見地によれば、広帯域無線通信システムにおける基地局装置が提供される。前記装置は、少なくとも１つの端末に再送を支援することを知らせるレンジングコードを含む第１レンジングコードセットの情報を含むメッセージを送信するモデムと、レンジングチャネルで前記第１レンジングコードセットのうち１つが検出されると、前記第１レンジングコードセットのうち１つを送信した端末がレンジングに対する再送が可能であることを認知する制御部と、を含み、前記モデムは、前記端末にレンジングのためのリソースを割り当てる匿名のリソース割り当て情報を含むリソース割り当てメッセージを送信することを特徴とする。
【００１４】
本発明の他の見地、利益、主な特徴は以下添付の本発明の実施形態及び図面と共に説明される詳細な説明から当業者に明白に認識されるであろう。
【００１５】
本発明の実施形態による本発明の上述した見地（ａｓｐｅｃｔ）及び他の見地、特徴、利益は次の図面と共に説明される詳細な説明から明白に認識されるであろう。
【図面の簡単な説明】
【００１６】
【図１】本発明の実施形態による広帯域無線通信システムにおける匿名リソース割り当てのためのシグナリング手順を示す図である。
【図２】本発明の実施形態による広帯域無線通信システムにおける匿名リソース割り当てのためのシグナリング手順を示す図である。
【図３】本発明の実施形態による広帯域無線通信システムにおける端末の動作手順を示す図である。
【図４】本発明の実施形態による広帯域無線通信システムにおける基地局の動作手順を示す図である。
【図５】本発明の実施形態による広帯域無線通信システムにおける端末のブロック構成を示す図である。
【図６】本発明の実施形態による広帯域無線通信システムにおける基地局のブロック構成を示す図である。
【００１７】
前記図面で、参照番号は同一または類似の要素、特徴、構造を説明するために用いられる。
【００１８】
以下、図面を参照した説明は特許請求の範囲及びこれと同等なものによって定義される本発明の実施形態の包括的な理解を助けるために提供される。以下の説明は理解を助けるために様々な具体的な細部事項を含むが、例示として扱われるだけである。したがって、本発明の思想や範囲から逸脱しない限度内で実施形態の様々な変形及び修正が可能であることは無論である。また、周知の機能及び構造の説明は明確性のために省略される。
【００１９】
以下、本発明は広帯域無線通信システムで様々なシステム帯域幅を支援するための技術について説明する。以下、本発明はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）／ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式の無線通信システムを例に挙げて説明する。しかし、これが本発明が他の種類の通信システムに適用されることを制限するわけではない。
【００２０】
本発明の実施形態によるシステムは匿名で割り当てられるリソースに対してＨＡＲＱを適用する。同時に、前記匿名で割り当てられるリソースにＨＡＲＱを支援できない既存（ｌｅｇａｃｙ）端末を支援するために、前記システムはＨＡＲＱを適用しない方式もともに運用する。
【００２１】
前記匿名で割り当てられるリソースを要求するために、端末は予め定義された複数の直交コード又は準直交コードのセットから１つのコードを選択的に送信する。前記コードはレンジングコード（ｒａｎｇｉｎｇ  ｃｏｄｅ）と呼ばれる。前記レンジングコードは予め定義されたチャネルを介して送信されるので、基地局は前記チャネルを介して受信されるレンジングコードを検出できる。しかし、前記基地局は前記レンジングコードを送信した端末を識別することができない。したがって、前記基地局は、前記レンジングコードを検出した時点及びレンジングコードのインデックスを含む前記レンジングコードを送信した端末を示すメッセージを用いて、前記端末にリソースを割り当てる。すなわち、前記基地局は匿名でリソースを割り当てる。
【００２２】
本発明の実施形態によるシステムで、選択可能なレンジングコードは、ＨＡＲＱの適用を受けるリソース割り当てのために定義されたレンジングコード及びＨＡＲＱの適用を受けないリソース割り当てのために定義されたレンジングコードに区分される。以下、説明の便宜のために、本発明は前記「ＨＡＲＱの適用を受けるリソース割り当てのために定義されたレンジングコード」を「ＨＡＲＱ支援レンジングコード」と、前記「ＨＡＲＱの適用を受けないリソース割り当てのために定義されたレンジングコード」を「ＨＡＲＱ非支援レンジングコード」と呼ぶ。すなわち、前記システムは、レンジングコードの一部はＨＡＲＱが適用されたリソースを要求する用途に、他のレンジングコードはＨＡＲＱが適用されないリソースを要求する用途に定義する。これにより、ＨＡＲＱを支援する端末はＨＡＲＱ支援レンジングコードのうち１つをを選択し、ＨＡＲＱを支援しない端末はＨＡＲＱ非支援レンジングコードのうち１つをを選択する。したがって、基地局は、検出されたレンジングコードを介して、前記レンジングコードを送信した端末がＨＡＲＱを支援できるか否かを判断できる。
【００２３】
前記ＨＡＲＱの適用有無によるレンジングコードの分類情報は、予め定義されて基地局及び端末に保存されているか、又は、別途のブロードキャスト（ｂｒｏａｄｃａｓｔ）メッセージを介して前記基地局から端末に伝達され得る。例えば、前記ブロードキャストメッセージとして、ＵＣＤ（Ｕｐｌｉｎｋ  Ｃｈａｎｎｅｌ  Ｄｅｓｃｒｉｐｔｉｏｎ）メッセージが使用され得る。この時、前記ブロードキャストメッセージは下記表１及び下記表２に示された情報を含むことができる。
【００２４】
【表１】
2013526230.tif 000003
【００２５】
【表２】
2013526230.tif 000004
【００２６】
上記表１はＨＡＲＱ非支援レンジングコードに対するレンジングコード分類情報を、上記表２はＨＡＲＱ支援レンジングコードに対するレンジングコード分類情報を表す。上記表１及び上記表２で各用途に対するレンジングコードの割り当て範囲はレンジングコードの個数で示され、これは定義された個数のレンジングコードが用途の整列順に従ってコードインデックスの順に各用途のために割り当てられることを意味する。この時、前記ＨＡＲＱの適用を受けるリソース割り当てに対するレンジングコードは既存に特定の用途に割り当てられたレンジングコード外の範囲、すなわち、既存のどの用途にも割り当てられていなかったレンジングコードに構成されるように新しく定義されるか、前記既存特定の用途に割り当てられていたレンジングコードの一部を分割することによって定義され得る。上記表１及び上記表２の場合、各レンジングコードの割り当て範囲はレンジングコードの個数で表現されたが、本発明の他の実施形態によって各レンジングコードの割り当て範囲はコードのインデックスを用いて明示的に定義され得る。
【００２７】
図１は、本発明の実施形態による広帯域無線通信システムにおける匿名リソース割り当てのためのシグナリング手順を示している。
【００２８】
前記図１を参照すると、既存（ｌｅｇａｃｙ）端末１１０及び新しい（ｎｅｗ）端末１２０は基地局１５０からＨＡＲＱ非支援レンジングコードに対するレンジングコード分類情報及びＨＡＲＱ支援レンジングコードに対するレンジングコード分類情報を含むブロードキャストメッセージを受信する（１０１ステップ）。例えば、前記ＨＡＲＱ支援レンジングコードに対するレンジングコード分類情報は前記ＨＡＲＱ支援レンジングコードの個数を含むことができる。本発明の実施形態によれば、前記ブロードキャストメッセージはＵＣＤである場合がある。前記ブロードキャストメッセージはレンジングコードの伝送後に割り当てされるリソースを介してデータ伝送時にＨＡＲＱを適用する端末のための情報であって、上記表２に示されたレンジングコード分類情報を含むことができる。
【００２９】
前記既存端末１１０はレンジング目的に応じて前記ＨＡＲＱ非支援レンジングコードの分類情報を参照して１つのレンジングコードを選択して送信する（ステップ１０３）。例えば、前記ＨＡＲＱ非支援レンジングコードの分類情報は上記表１のように構成されることができる。ここで、前記レンジング目的はハンドオーバレンジング（Ｈａｎｄｏｖｅｒ  ｒａｎｇｉｎｇ）、初期レンジング（Ｉｎｉｔｉａｌ  ｒａｎｇｉｎｇ）、周期的レンジング（ｐｅｒｉｏｄｉｃ  ｒａｎｇｉｎｇ）、帯域幅レンジング（ｂａｎｄｗｉｄｔｈ  ｒａｎｇｉｎｇ）などである場合がある。前記図１で、理解を助けるために、前記既存端末１１０によって送信されるレンジングコードのインデックスを「＃ｘｘ」と示した。
【００３０】
前記既存端末１１０から前記レンジングコードを受信した前記基地局１５０は前記レンジングコードがＨＡＲＱ非支援レンジングコードのうち１つの「＃ｘｘ」であることを確認することによって、匿名で割り当てられるリソースにＨＡＲＱを支援しない端末が送信したものであると判断し、ＨＡＲＱ関連情報を含まないＣＤＭＡ＿Ａｌｌｏｃａｔｉｏｎ＿ＩＥを送信することによってアップリンクリソースを割り当てる（ステップ１０５）。
【００３１】
これによって、前記既存端末１１０はレンジング目的に応じてレンジング要求（ＲＮＧ−ＲＥＱ：Ｒａｎｇｉｎｇ  Ｒｅｑｕｅｓｔ）メッセージ又は帯域要求ヘッダ（ＢＲＨ：Ｂａｎｄｗｉｄｔｈ  Ｒｅｑｕｅｓｔ  ｈｅａｄｅｒ）を送信する（ステップ１０７）。
【００３２】
匿名で割り当てられるリソースにＨＡＲＱを支援する前記新しい端末１２０はレンジング目的に応じて前記ＨＡＲＱ支援レンジングコードの分類情報を参照して１つのレンジングコードを選択して送信する（ステップ１０９）。例えば、前記ＨＡＲＱ支援レンジングコードの分類情報は上記表２のように構成されることができる。ここで、前記レンジング目的はハンドオーバレンジング、初期レンジング、周期的レンジング、帯域幅レンジングなどである場合がある。前記図１で、説明の便宜のために、前記既存端末１１０によって送信されるレンジングコードのインデックスを「＃ｙｙ」と示した。
【００３３】
前記新しい端末１２０から前記レンジングコードを受信した前記基地局１５０は前記レンジングコードのインデックスがＨＡＲＱ支援レンジングコードのうち１つの「＃ｙｙ」であることを確認することによって、匿名で割り当てられるリソースにＨＡＲＱを支援する端末が送信したものであると判断し、ＨＡＲＱ関連情報を含むＨＡＲＱ＿ＣＤＭＡ＿Ａｌｌｏｃａｔｉｏｎ＿ＩＥを送信することによってアップリンクリソースを割り当てる（ステップ１１１）。例えば、前記ＨＡＲＱ関連情報を含むＨＡＲＱ＿ＣＤＭＡ＿Ａｌｌｏｃａｔｉｏｎ＿ＩＥは下記表３に示されたパラメータを含む。
【００３４】
【表３】
2013526230.tif 000005
【００３５】
上記表３で、「Ｆｒａｍｅ  Ｎｕｍｂｅｒ  Ｉｎｄｅｘ」フィールドは該当レンジングコードを受信したフレームを示す値である。ＨＡＲＱによる再送が発生した場合、前記「Ｆｒａｍｅ  Ｎｕｍｂｅｒ  Ｉｎｄｅｘ」フィールドによって示されるべきフレームの範囲が初期伝送時に比べて広くなり得るので、前記「Ｆｒａｍｅ  Ｎｕｍｂｅｒ  Ｉｎｄｅｘ」フィールドは既存のＨＡＲＱ関連情報を含まないＣＤＭＡ＿Ａｌｌｏｃａｔｉｏｎ＿ＩＥの場合より多いビット数である８ビットの大きさを有する。前記「ＡＣＩＤ（Ａｒｑ  Ｃｈａｎｎｅｌ  ＩＤｅｎｔｉｆｉｅｒ）」フィールドは端末が複数のＨＡＲＱチャネルを運用する場合、各ＨＡＲＱチャネルを区分する値で、前記「ＡＩ＿ＳＮ（Ａｒｑ  Ｉｄｅｎｔｉｆｉｅｒ  Ｓｅｑｕｅｎｃｅ  Ｎｕｍｂｅｒ）」フィールドは同じＨＡＲＱチャネルを介して送信されるＨＡＲＱパケットの受信が成功する時を示すためにトグル（ｔｏｇｇｌｅ）される値で、前記「ＡＣＫ  ｄｉｓａｂｌｅ」フィールドは受信の成功有無を明示的に知らせるＡＣＫ／ＮＡＣＫ（ＡＣＫｎｏｗｌｅｄｇｅ／Ｎｏｎ−ＡＣＫ）をフィードバックするか否かを示す値である。上記表３の場合、ＨＡＲＱ基本的な動作方式であるＣＣ（Ｃｈａｓｅ  Ｃｏｍｂｉｎｉｎｇ）方式を仮定し、ＩＲ（Ｉｎｃｒｅｍｅｎｔａｌ  Ｒｅｄｕｎｄａｎｃｙ）方式が用いられる場合、サブパケットバージョン（ｓｕｂｐａｃｋｅｔ  ｖｅｒｓｉｏｎ）を示す「ＳＰＩＤ（ＳｕｂＰａｃｋｅｔ  ＩＤｅｎｔｉｆｉｅｒ）」フィールドが追加され得る。
【００３６】
これによって、前記新しい端末１２０は前記ＨＡＲＱ＿ＣＤＭＡ＿Ａｌｌｏｃａｔｉｏｎ＿ＩＥに含まれたＨＡＲＱ関連情報を保存し、レンジング目的に応じてレンジング要求メッセージ又は帯域要求ヘッダを送信する（ステップ１１３）。この時、前記新しい端末１２０はＨＡＲＱを適用するために別途のチャネル符号化を適用することができ、再送に備えて前記レンジング要求メッセージ又は前記帯域要求メッセージを保存する。しかし、前記基地局１５０は前記レンジング要求メッセージ又は前記帯域要求ヘッダの受信に失敗することがある。
【００３７】
そのため、前記基地局１５０は前記ＨＡＲＱ＿ＣＤＭＡ＿Ａｌｌｏｃａｔｉｏｎ＿ＩＥを再送する（ステップ１１５）。具体的に、前記基地局１５０は前記レンジング要求メッセージ又は前記帯域要求ヘッダの受信失敗に応じて再びリソースを割り当てることによって前記新しい端末１２０が前記レンジング要求メッセージ又は前記帯域要求ヘッダを再送信するようにする。この時、前記図１に示していないが、本発明の他の実施形態によって、前記レンジング要求メッセージ又は前記帯域要求ヘッダの受信失敗を明示的に知らせるＮＡＣＫ（Ｎｏｎ  ＡＣＫｎｏｗｌｅｄｇｅ）メッセージが送信され得る。
【００３８】
その後、前記新しい端末１２０はレンジング目的に応じてレンジング要求メッセージ又は帯域要求ヘッダを再送し、前記基地局１５０は前記新しい端末１２０からのレンジング要求メッセージ又は帯域要求ヘッダを成功裏に受信する（ステップ１１７）。
【００３９】
前記図１を参照して説明した実施形態で、前記ＨＡＲＱ支援レンジングコードを受信した前記基地局１５０は上記表３のようにＨＡＲＱ関連情報を含むリソース割り当てメッセージを送信する。しかし、本発明の他の実施形態によって、前記基地局１５０は前記ＨＡＲＱ関連情報を含まないリソース割り当てメッセージを送信できる。すなわち、シグナリングオーバーヘッドの減少のために、前記基地局１５０は前記ＨＡＲＱ関連情報を排除することができる。
【００４０】
前記図１に示す実施形態によれば、匿名で割り当てられたリソースにＨＡＲＱを支援する複数の端末のそれぞれがレンジングコードを送信した場合、複数の前記ＨＡＲＱ関連情報を含むＨＡＲＱ＿ＣＤＭＡ＿Ａｌｌｏｃａｔｉｏｎ＿ＩＥが送信されなければならない。したがって、本発明はシグナリングオーバーヘッドを減少させるために１つのＨＡＲＱ＿ＣＤＭＡ＿Ａｌｌｏｃａｔｉｏｎ＿ＩＥを用いて複数の端末にリソースを割り当てる方案を提案する。すなわち、複数の端末のそれぞれがレンジングコードを送信した場合、基地局は同じフレームでレンジングコードを送信した端末に対して１つのＨＡＲＱ＿ＣＤＭＡ＿Ａｌｌｏｃａｔｉｏｎ＿ＩＥを用いてリソースを割り当てる。他の実施形態によって、前記基地局はレンジングコードを送信したフレームにかかわらず複数の端末に対して１つのＨＡＲＱ＿ＣＤＭＡ＿Ａｌｌｏｃａｔｉｏｎ＿ＩＥを用いてリソースを割り当てることができる。以下、本発明は同じフレームでレンジングコードを送信した端末に対して１つのＨＡＲＱ＿ＣＤＭＡ＿Ａｌｌｏｃａｔｉｏｎ＿ＩＥを用いてリソースを割り当てる実施形態を図面を参照して説明する。
【００４１】
図２は、本発明の実施形態による広帯域無線通信システムにおける匿名リソース割り当てのためのシグナリング手順を示している。
【００４２】
前記図２を参照すると、既存端末２１０、新しい端末Ａ２２０、新しい端末Ｂ２３０は基地局２５０からＨＡＲＱ非支援レンジングコードに対するレンジングコード分類情報及びＨＡＲＱ支援レンジングコードに対するレンジングコード分類情報を含むブロードキャストメッセージを受信する（ステップ２０１）。例えば、前記ＨＡＲＱ支援レンジングコードに対するレンジングコード分類情報は前記ＨＡＲＱ支援レンジングコードの個数を含むことができる。また、例えば、前記ブロードキャストメッセージはＵＣＤである場合がある。すなわち、前記ブロードキャストメッセージはレンジングコードの伝送後に割り当てされるリソースを介してデータ伝送時にＨＡＲＱを適用する端末のための情報であって、上記表２に示されたレンジングコード分類情報を含む。
【００４３】
前記既存端末２１０はレンジング目的に応じて前記ＨＡＲＱ非支援レンジングコードの分類情報を参照して１つのレンジングコードを選択して送信する（ステップ２０３）。例えば、前記ＨＡＲＱ非支援レンジングコードの分類情報は上記表１のように構成されることができる。ここで、前記レンジング目的はハンドオーバレンジング、初期レンジング、周期的レンジング、帯域幅レンジングなどである場合がある。前記図２で、理解を助けるために、前記既存端末２１０によって送信されるレンジングコードのインデックスを「＃ｘｘ」と示した。
【００４４】
前記既存端末２１０から前記レンジングコードを受信した前記基地局２５０は前記レンジングコードがＨＡＲＱ非支援レンジングコードのうち１つの「＃ｘｘ」であることを確認することによって、匿名で割り当てられるリソースにＨＡＲＱを支援しない端末が送信したものであると判断し、ＨＡＲＱ関連情報を含まないＣＤＭＡ＿Ａｌｌｏｃａｔｉｏｎ＿ＩＥを送信することによってアップリンクリソースを割り当てる（ステップ２０５）。
【００４５】
これによって、前記既存端末２１０はレンジング目的に応じてレンジング要求メッセージ又は帯域要求ヘッダを送信する（ステップ２０７）。
【００４６】
匿名で割り当てられるリソースにＨＡＲＱを支援する前記新しい端末Ａ２２０はレンジング目的に応じて前記ＨＡＲＱ支援レンジングコードの分類情報を参照して１つのレンジングコードを選択して送信する（ステップ２０９）。例えば、前記ＨＡＲＱ支援レンジングコードの分類情報は上記表２のように構成されることができる。ここで、前記レンジング目的はハンドオーバレンジング、初期レンジング、周期的レンジング、帯域幅レンジングなどである場合がある。前記図２で、説明の便宜のために、前記既存端末２１０によって送信されるレンジングコードのインデックスを「＃ｙｙ」と示した。
【００４７】
また、前記新しい端末Ａ２２０がレンジングコードを送信したフレームで、匿名で割り当てられるリソースにＨＡＲＱを支援する前記新しい端末Ｂ２３０はレンジング目的に応じて上記表２のような情報を参照して１つのレンジングコードを選択して送信する（ステップ２１１）。ここで、前記レンジング目的はハンドオーバレンジング、初期レンジング、周期的レンジング、帯域幅レンジングなどである場合がある。前記図２で、説明の便宜のために、前記既存端末２１０によって送信されるレンジングコードのインデックスを「＃ｚｚ」と示した。
【００４８】
前記新しい端末Ａ２２０及び前記新しい端末Ｂ２３０から前記レンジングコードを受信した前記基地局２５０は前記レンジングコードのインデックスがＨＡＲＱ支援レンジングコードに属する「＃ｙｙ」及び「＃ｚｚ」であることを確認することによって、匿名で割り当てられるリソースにＨＡＲＱを支援する端末が送信したものであると判断し、ＨＡＲＱ関連情報を含むＨＡＲＱ＿ＣＤＭＡ＿Ａｌｌｏｃａｔｉｏｎ＿ＩＥを送信することによってアップリンクリソースを割り当てる（ステップ２１３）。ここで、ＨＡＲＱ＿ＣＤＭＡ＿Ａｌｌｏｃａｔｉｏｎ＿ＩＥは前記新しい端末Ａ２２０及び前記新しい端末Ｂ２３０へのリソース割り当て情報をすべて含む。例えば、前記ＨＡＲＱ関連情報を含むＨＡＲＱ＿ＣＤＭＡ＿Ａｌｌｏｃａｔｉｏｎ＿ＩＥは下記表４に示されたパラメータを含む。
【００４９】
【表４】
2013526230.tif 000006
【００５０】
上記表４で、「Ｆｒａｍｅ  Ｎｕｍｂｅｒ  Ｉｎｄｅｘ」フィールドは該当レンジングコードを受信したフレームを示す値である。ＨＡＲＱによる再送が発生した場合、前記「Ｆｒａｍｅ  Ｎｕｍｂｅｒ  Ｉｎｄｅｘ」フィールドによって示されるべきフレームの範囲が初期伝送時に比べて広くなり得るので、前記「Ｆｒａｍｅ  Ｎｕｍｂｅｒ  Ｉｎｄｅｘ」フィールドは既存のＨＡＲＱ関連情報を含まないＣＤＭＡ＿Ａｌｌｏｃａｔｉｏｎ＿ＩＥの場合より多いビット数である８ビットの大きさを有する。前記「ＡＣＩＤ」フィールドは端末が複数のＨＡＲＱチャネルを運用する場合、各ＨＡＲＱチャネルを区分する値で、前記「ＡＩ＿ＳＮ」フィールドは同じＨＡＲＱチャネルを介して送信されるＨＡＲＱパケットの受信が成功する時を示すためにトグルされる値で、前記「ＡＣＫ  ｄｉｓａｂｌｅ」フィールドは受信の成功有無を明示的に知らせるＡＣＫ／ＮＡＣＫをフィードバックするか否かを示す値である。上記表４の場合、ＨＡＲＱ基本的な動作方式であるＣＣ方式を仮定し、ＩＲ方式が使用される場合、サブパケットバージョンを示す「ＳＰＩＤ」フィールドが追加されることができる。
【００５１】
これによって、前記新しい端末Ａ２２０は前記ＨＡＲＱ＿ＣＤＭＡ＿Ａｌｌｏｃａｔｉｏｎ＿ＩＥに含まれたＨＡＲＱ関連情報を保存し、レンジング目的に応じてレンジング要求メッセージ又は帯域要求ヘッダを送信する（ステップ２１５）。また、前記新しい端末Ｂ２３０は前記ＨＡＲＱ＿ＣＤＭＡ＿Ａｌｌｏｃａｔｉｏｎ＿ＩＥに含まれたＨＡＲＱ関連情報を保存し、レンジング目的に応じてレンジング要求メッセージ又は帯域要求ヘッダを送信する（ステップ２１７）。この時、前記新しい端末Ａ２２０及び前記新しい端末Ｂ２３０はＨＡＲＱを適用するために別途のチャネル符号化を適用することができ、再送に備えて前記レンジング要求メッセージ又は前記帯域要求メッセージを保存する。
【００５２】
しかし、前記基地局２５０は前記新しい端末Ａ２２０及び前記新しい端末Ｂ２３０の両方からの前記レンジング要求メッセージ又は前記帯域要求ヘッダの受信に失敗する。
【００５３】
これによって、前記基地局２５０は前記ＨＡＲＱ＿ＣＤＭＡ＿Ａｌｌｏｃａｔｉｏｎ＿ＩＥを再送する（ステップ２１９）。具体的に、前記基地局２５０は前記レンジング要求メッセージ又は前記帯域要求ヘッダの受信失敗に応じて再度リソースを割り当てることによって前記新しい端末Ａ２２０及び前記新しい端末Ｂ２３０が前記レンジング要求メッセージ又は前記帯域要求ヘッダを再送信するようにする。この時、本発明の他の実施形態によって、前記レンジング要求メッセージ又は前記帯域要求ヘッダの受信失敗を明示的に知らせるＮＡＣＫメッセージが送信され得る。
【００５４】
これによって、前記新しい端末Ａ２２０はレンジング目的に応じてレンジング要求メッセージ又は帯域要求ヘッダを再送し（ステップ２２１）、前記新しい端末Ｂ２３０はレンジング目的に応じてレンジング要求メッセージ又は帯域要求ヘッダを再送する（ステップ２２３）。この時、前記基地局２５０は前記新しい端末Ａ２２０からの前記レンジング要求メッセージ又は前記帯域要求ヘッダの受信には成功したが、前記新しい端末Ｂ２３０からの前記レンジング要求メッセージ又は前記帯域要求ヘッダの受信には失敗する。
【００５５】
これによって、前記基地局２５０は前記新しい端末Ｂ２３０にリソースを割り当てるＨＡＲＱ＿ＣＤＭＡ＿Ａｌｌｏｃａｔｉｏｎ＿ＩＥを送信する（ステップ２２５）。この時、前記図２には示されていないが、本発明の他の実施形態によって、前記新しい端末Ｂ２３０に前記レンジング要求メッセージ又は前記帯域要求ヘッダの受信失敗を明示的に知らせるＮＡＣＫメッセージが送信され得る。また、前記図２には示されていないが、本発明の他の実施形態によって、前記新しい端末Ａ２２０に前記レンジング要求メッセージ又は前記帯域要求ヘッダの受信成功を明示的に知らせるＡＣＫメッセージが送信され得る。
【００５６】
その後、前記新しい端末Ｂ２３０はレンジング目的に応じてレンジング要求メッセージ又は帯域要求ヘッダを再送し、前記基地局２５０は前記新しい端末Ｂ２３０からのレンジング要求メッセージ又は帯域要求ヘッダを成功裏に受信する（ステップ２２７）。
【００５７】
前記図２を参照して説明した実施形態で、前記ＨＡＲＱ支援レンジングコードを受信した前記基地局２５０は上記表４のようにＨＡＲＱ関連情報を含むリソース割り当てメッセージを送信する。しかし、本発明の他の実施形態によって、前記基地局２５０は前記ＨＡＲＱ関連情報を含まないリソース割り当てメッセージを送信できる。すなわち、シグナリングオーバーヘッドの減少のために、前記基地局２５０は前記ＨＡＲＱ関連情報を排除することができる。
【００５８】
以下、本発明は上述のように匿名で割り当てられるリソースを要求する端末及び割り当てる基地局の動作及び構成を図面を参照して詳細に説明する。
【００５９】
図３は、本発明の実施形態による広帯域無線通信システムにおける端末の動作手順を示している。
【００６０】
前記図３を参照すると、前記端末はステップ３０１で基地局からブロードキャスティングされるメッセージを介してレンジングコード分類情報を獲得する。前記レンジングコード分類情報はＨＡＲＱ支援レンジングコードの分類情報及びＨＡＲＱ非支援レンジングコードの分類情報を含む。ここで、前記ＨＡＲＱ支援レンジングコードは再送を支援することを知らせるレンジングコードを意味し、第１レンジングコードセットと呼ばれることができる。例えば、前記ブロードキャストメッセージはＵＣＤメッセージである場合があり、前記レンジングコード分類情報は前記ＨＡＲＱ支援レンジングコードの個数を含むことができる。例えば、前記レンジングコード分類情報は上記表１及び上記表２のように構成されることができる。上記表１及び上記表２の場合、各レンジングコードの割り当て範囲はレンジングコードの個数で表現されたが、本発明の他の実施形態によって各レンジングコードの割り当て範囲はコードのインデックスを用いて明示的に定義され得る。
【００６１】
その後、ステップ３０３で、前記端末はレンジングが必要であるかを判断する。例えば、初期レンジング、ハンドオーバレンジング、周期的レンジング又はアップリンクリソース割り当てが必要であるかを判断する。
【００６２】
前記レンジングが必要な場合、ステップ３０５で、前記端末は前記ＨＡＲＱ支援レンジングコードのうち１つのレンジングコードを選択及び送信する。すなわち、前記端末は前記ＨＡＲＱ支援レンジングコードのうち１つのレンジングコードを送信することによって、レンジングに対する再送が可能であることを知らせるとともにレンジングのためのリソースを要求する。具体的には、前記端末は選択されたレンジングコードを変調して複素シンボル列を生成し、前記複素シンボル列をアップリンクレンジングチャネルにマッピングした後、ＩＦＦＴ（Ｉｎｖｅｒｓｅ  Ｆａｓｔ  Ｆｏｕｒｉｅｒ  Ｔｒａｎｓｆｏｒｍ）演算及びＣＰ（Ｃｙｃｌｉｃ  Ｐｒｅｆｉｘ）挿入によってＯＦＤＭシンボルを生成し、前記ＯＦＤＭシンボルを送信する。
【００６３】
前記レンジングコードを送信した後、ステップ３０７で、前記端末はＨＡＲＱ関連情報を含む匿名リソース割り当てメッセージが受信されたか確認する。すなわち、前記端末は前記ステップ３０５で送信したレンジングコードの送信位置及びレンジングコードのインデックスを用いてリソース割り当ての対象を示すリソース割り当てメッセージを受信する。例えば、前記匿名リソース割り当てメッセージはＨＡＲＱ＿ＣＤＭＡ＿Ａｌｌｏｃａｔｉｏｎ＿ＩＥである場合があり、前記ＨＡＲＱ関連情報はＨＡＲＱの適用の旨を知らせる情報及びＨＡＲＱ動作に必要な情報を含み、例えば、「ＡＣＩＤ」、「ＡＩ＿ＳＮ」、「ＳＰＩＤ」、「ＡＣＫ  ｄｉｓａｂｌｅ」のうち少なくとも１つを含む。例えば、前記ＨＡＲＱ＿ＣＤＭＡ＿Ａｌｌｏｃａｔｉｏｎ＿ＩＥは上記表３又は上記表４のように構成されることができる。
【００６４】
前記ＨＡＲＱ関連情報を含む匿名リソース割り当てメッセージが受信されると、ステップ３０９で、前記端末は前記ステップ３０３で判断したレンジングの目的に応じてレンジング要求メッセージ又は帯域要求ヘッダを初期送信する。この時、前記端末は前記初期送信後、再送の可能性のために前記レンジング要求メッセージ又は前記帯域要求ヘッダを廃棄せず保存する。
【００６５】
前記レンジング要求メッセージ又は前記帯域要求ヘッダを送信した後、ステップ３１１で、前記端末は最大再送回数に到達したか又は再送タイマが満了したかを判断する。ここで、前記再送タイマはＨＡＲＱ再送の間の最大時間間隔を判断するためのものであって、ＨＡＲＱの伝送が行われた時点から開始して前記最大時間間隔が経過すると満了する。
【００６６】
前記最大再送回数に到達したか前記再送タイマが満了していない場合、ステップ３１３で、前記端末はＨＡＲＱ関連情報を含む匿名リソース割り当てメッセージが再受信されたかを判断する。すなわち、前記端末は基地局から前記レンジング要求メッセージ又は前記帯域要求ヘッダの再送が要求されたかを判断する。
【００６７】
前記ＨＡＲＱ関連情報を含む匿名リソース割り当てメッセージが再受信されると、ステップ３１５で、前記端末は前記レンジング要求メッセージ又は前記帯域要求ヘッダを再送する。この時、再送されるレンジング要求メッセージ又は帯域要求ヘッダの形態はＨＡＲＱ方式に応じて変わることができる。もし、ＣＣ技法の場合、再送されるレンジング要求メッセージ又は帯域要求ヘッダは前記ステップ３０９で初期送信されたレンジング要求メッセージ又は帯域要求ヘッダと同じである。一方、ＩＲ技法の場合、再送されるレンジング要求メッセージ又は帯域要求ヘッダは前記ステップ３０９で初期送信されたレンジング要求メッセージ又は帯域要求ヘッダとは異なるバージョンのサブパケットである。その後、前記端末は前記ステップ３１１及び前記ステップ３１３を繰り返すことによって、最大再送回数に到達したか又は再送タイマが満了したか、それともＨＡＲＱ関連情報を含む匿名リソース割り当てメッセージが受信されたかを判断する。
【００６８】
もし、前記最大再送回数に到達したか又は前記再送タイマが満了した場合、ステップ３１７で、前記端末は前記レンジング要求メッセージ又は前記帯域要求ヘッダの送信が成功裏に行われたと判断し、前記レンジング要求メッセージ又は前記帯域要求ヘッダを廃棄する。
【００６９】
前記図３を参照して説明した実施形態は前記端末がレンジングコード分類情報を獲得する過程と、レンジングコードを送信する過程と、リソース割り当てメッセージを受信する過程と、レンジング要求メッセージ又は帯域要求ヘッダを送信する過程と、を含む。しかし、本発明は前記過程の一部のみを含むことができる。例えば、本発明は前記端末がレンジングコード分類情報を獲得する過程、レンジングコードを送信する過程のみを含むことができる。
【００７０】
図４は、本発明の実施形態による広帯域無線通信システムにおける基地局の動作手順を示している。
【００７１】
前記図４を参照すると、前記基地局はステップ４０１でＨＡＲＱ支援レンジングコードの分類情報を含むメッセージをブロードキャスティングする。ここで、前記ＨＡＲＱ支援レンジングコードは再送を支援することを知らせるレンジングコードを意味し、第１レンジングコードセットと呼ばれることができる。前記メッセージはＨＡＲＱ非支援レンジングコードの分類情報も含む。例えば、前記ブロードキャストメッセージはＵＣＤメッセージである場合があり、前記レンジングコード分類情報は前記ＨＡＲＱ支援レンジングコードの個数を含むことができる。例えば、前記レンジングコード分類情報は上記表１及び上記表２のように構成されることができる。上記表１及び上記表２の場合、各レンジングコードの割り当て範囲はレンジングコードの個数に表現されたが、本発明の他の実施形態によって各レンジングコードの割り当て範囲はコードのインデックスを用いて明示的に定義され得る。
【００７２】
その後、ステップ４０３で、前記基地局はレンジングコードが検出されたかを判断する。すなわち、前記基地局はレンジングチャネルを介して受信される信号とそれぞれのレンジングコードの相関（ｃｏｒｒｅｌａｔｉｏｎ）演算を行うことによって端末によって送信されたレンジングコードを検出する。この時、複数のレンジングコードが検出されることができる。
【００７３】
前記レンジングコードが検出されると、ステップ４０５で、前記基地局は検出されたそれぞれのレンジングコードがＨＡＲＱ支援レンジングコードのうち１つであるかを判断する。もし、複数のレンジングコードが検出された場合、前記基地局は検出されたそれぞれのレンジングコードがＨＡＲＱ支援レンジングコードのうち１つであるかを判断する。
【００７４】
もし、前記検出されたレンジングコードがＨＡＲＱ支援レンジングコードのうち１つではない場合、すなわち、ＨＡＲＱ非支援レンジングコードのうち１つである場合、ステップ４０７で、前記基地局はレンジングコードを送信した端末が匿名で割り当てられたリソースにＨＡＲＱを支援しない端末であると判断し、ＨＡＲＱ関連情報を含まない匿名リソース割り当てメッセージを送信する。この時、複数のＨＡＲＱ非支援レンジングコードが検出された場合、前記基地局はそれぞれのレンジングコードに対応して複数の匿名リソース割り当てメッセージを送信する。
【００７５】
一方、前記検出されたレンジングコードがＨＡＲＱ支援レンジングコードのうち１つである場合、ステップ４０９で、前記基地局はレンジングコードを送信した端末が匿名で割り当てられたリソースにＨＡＲＱを支援する端末であると判断し、ＨＡＲＱ関連情報を含む匿名リソース割り当てメッセージを送信する。例えば、前記匿名リソース割り当てメッセージはＨＡＲＱ＿ＣＤＭＡ＿Ａｌｌｏｃａｔｉｏｎ＿ＩＥである場合があり、前記ＨＡＲＱ関連情報はＨＡＲＱの適用の旨を知らせる情報及びＨＡＲＱ動作に必要な情報を含み、例えば、「ＡＣＩＤ」、「ＡＩ＿ＳＮ」、「ＳＰＩＤ」、「ＡＣＫ  ｄｉｓａｂｌｅ」のうち少なくとも１つを含む。例えば、前記ＨＡＲＱ＿ＣＤＭＡ＿Ａｌｌｏｃａｔｉｏｎ＿ＩＥは上記表３又は上記表４のように構成されることができる。この時、複数のＨＡＲＱ支援レンジングコードが検出された場合、前記基地局はそれぞれのレンジングコードに対応して複数の匿名リソース割り当てメッセージを送信するか、又は、それぞれのレンジングコードに対するリソース割り当て情報を含む１つの匿名リソース割り当てメッセージを送信できる。
【００７６】
その後、ステップ４１１で、前記基地局は前記匿名リソース割り当てメッセージを介して割り当てたリソースを介してレンジング要求メッセージ又は帯域要求メッセージが受信されたかを判断する。すなわち、前記基地局は前記割り当てたリソースを介して受信される信号から前記レンジング要求メッセージ又は前記帯域要求メッセージの検出を試み、検出に成功したかを判断する。ここで、前記検出の成功有無はＣＲＣ（Ｃｙｃｌｉｃ  Ｒｅｄｕｎｄａｎｃｙ  Ｃｈｅｃｋ） などによって判断される。この時、１つの匿名リソース割り当てメッセージの複数のレンジングコードに対するリソース割り当て情報が含まれた場合、前記受信の成功有無の判断は各レンジングコードに対して行われる。
【００７７】
前記レンジング要求メッセージ又は前記帯域要求メッセージの受信に成功しなかった場合、ステップ４１３で、前記基地局は最大再送回数に到達したかを判断する。もし、前記最大再送回数に到達した場合、前記基地局はＨＡＲＱ再送を要求せず、本手順を終了する。
【００７８】
一方、前記最大再送回数に到達していない場合、ステップ４１５で、前記基地局はＨＡＲＱ関連情報を含む匿名リソース割り当てメッセージを再送する。この時、１つの匿名リソース割り当てメッセージの複数のレンジングコードに対するリソース割り当て情報が含まれ、一部のレンジングコードに対応したレンジング要求メッセージ又は帯域要求ヘッダが受信されなかった場合、前記匿名リソース割り当てメッセージは前記一部に対するリソース割り当て情報を含む。
【００７９】
前記図４を参照して説明した実施形態は前記基地局がレンジングコード分類情報を提供する過程と、レンジングコードを検出する過程と、リソース割り当てメッセージを送信する過程と、レンジング要求メッセージ又は帯域要求ヘッダを受信する過程と、を含む。しかし、本発明は前記過程の一部のみを含むことができる。例えば、本発明は前記基地局がレンジングコード分類情報を提供する過程、レンジングコードを検出する過程のみを含むことができる。
【００８０】
図５は、本発明の実施形態による広帯域無線通信システムにおける端末のブロック構成を示している。
【００８１】
前記図５を参照すると、前記端末はＲＦ（Ｒａｄｉｏ  Ｆｒｅｑｕｅｎｃｙ）処理部５０２、モデム５０４、保存部５０６及び制御部５０８を含んで構成される。
【００８２】
前記ＲＦ処理部５０２は信号の帯域変換、増幅など無線チャネルを介して信号を送受信するための機能を行う。すなわち、前記ＲＦ処理部５０２は前記モデム５０４から提供される基底帯域信号をＲＦ帯域信号にアップコンバートした後、アンテナを介して送信し、前記アンテナを介して受信されるＲＦ帯域信号を基底帯域信号にダウンコンバートする。
【００８３】
前記モデム５０４はシステムの物理階層規格に従って基底帯域信号及びビット列間の変換機能を行う。例えば、データ送信時、前記モデム５０４は送信ビット列を符号化及び変調することによって複素シンボルを生成し、前記複素シンボルを副搬送波にマッピングした後、ＩＦＦＴ演算及びＣＰ挿入によってＯＦＤＭシンボルを構成する。また、データ受信時、前記モデム５０４は前記ＲＦ処理部５０２から提供される基底帯域信号をＯＦＤＭシンボル単位に分割し、ＦＦＴ演算を介して副搬送波にマッピングされた信号を復元した後、復調及び復号化を介して受信ビット列を復元する。もし、アップリンクにＨＡＲＱを適用する場合、前記モデム５０４は再送の可能性のために符号化されたデータを前記保存部５０６に保存する。そして、ＣＣ方式に従う場合、前記モデム５０４は初期送信及び再送のいずれの場合も、全てのパケットを送信し、ＩＲ方式に従う場合、前記モデム５０４は初期送信及び再送時に互いに異なるバージョンのサブパケットを送信する。
【００８４】
前記保存部５０６はＨＡＲＱ再送のために符号化されたパケットを保存し、再送時に保存されたパケットを前記モデム５０４に提供する。そして、前記保存部５０６は前記端末が基地局と通信を行うために必要な設定情報を保存する。例えば、前記保存部５０６は基地局から受信されたレンジングコード分類情報を保存する。
【００８５】
前記制御部５０８は前記端末の全般的な機能を制御する。前記制御部５０８はＨＡＲＱ技法によるパケット再送を制御し、レンジング及びアップリンク帯域要求のためのレンジングコードの送信を制御する。特に、前記制御部５０８は前記レンジングコード送信を介して匿名で割り当てられるリソースにＨＡＲＱを適用する。前記レンジングコード送信を介して匿名で割り当てられるリソースにＨＡＲＱを適用するための前記制御部５０８の動作を詳細に述べると次のとおりである。
【００８６】
先ず、前記制御部５０８内のメッセージ処理部５１０は基地局からブロードキャスティングされるメッセージを介してレンジングコード分類情報を獲得し、前記制御部５０８は前記レンジングコード分類情報を前記保存部５０６に保存する。前記レンジングコード分類情報はＨＡＲＱ支援レンジングコードの分類情報及びＨＡＲＱ非支援レンジングコードの分類情報を含む。その後、レンジングが必要な場合、前記制御部５０８は前記ＨＡＲＱ支援レンジングコードのうち１つのレンジングコードを選択し、前記モデム５０４及び前記ＲＦ処理部５０２を介して選択されたレンジングコードを送信する。すなわち、前記制御部５０８は前記ＨＡＲＱ支援レンジングコードのうち１つのレンジングコードを送信することによって、レンジングに対する再送が可能であることを知らせるとともにレンジングのためのリソースを要求する。その後、ＨＡＲＱ関連情報を含む匿名リソース割り当てメッセージが受信されると、前記メッセージ処理部５１０は目的に応じてレンジング要求メッセージ又は帯域要求ヘッダを生成し、前記制御部５０８は前記レンジング要求メッセージ又は前記帯域要求ヘッダを初期送信する。この時、前記モデム５０４は再送の可能性のために前記レンジング要求メッセージ又は前記帯域要求ヘッダを廃棄せず前記保存部５０６に保存する。その後、最大再送回数に到達するか又は再送タイマが満了する前に前記匿名リソース割り当てメッセージが受信されると、前記制御部５０８は前記レンジング要求メッセージ及び前記帯域要求ヘッダをＣＣ方式又はＩＲ方式に従って再送するように前記モデム５０４を制御する。そして、前記レンジング要求メッセージ又は前記帯域要求ヘッダの送信が成功裏に行われたと判断されると、前記制御部５０８は前記保存部５０６に保存された前記レンジング要求メッセージ又は前記帯域要求ヘッダを廃棄する。
【００８７】
図６は、本発明の実施形態による広帯域無線通信システムにおける基地局のブロック構成を示している。
【００８８】
前記図６を参照すると、前記基地局はＲＦ処理部６０２、モデム６０４、保存部６０６及び制御部６０８を含んで構成される。
【００８９】
前記ＲＦ処理部６０２は信号の帯域変換、増幅など無線チャネルを介して信号を送受信するための機能を行う。すなわち、前記ＲＦ処理部６０２は前記モデム６０４から提供される基底帯域信号をＲＦ帯域信号にアップコンバートした後、アンテナを介して送信し、前記アンテナを介して受信されるＲＦ帯域信号を基底帯域信号にダウンコンバートする。
【００９０】
前記モデム６０４はシステムの物理階層規格に従って基底帯域信号及びビット列間の変換機能を行う。例えば、データ送信時、前記モデム６０４は送信ビット列を符号化及び変調することによって複素シンボルを生成し、前記複素シンボルを副搬送波にマッピングした後、ＩＦＦＴ演算及びＣＰ挿入によってＯＦＤＭシンボルを構成する。また、データ受信時、前記モデム６０４は前記ＲＦ処理部６０２から提供される基底帯域信号をＯＦＤＭシンボル単位に分割し、ＦＦＴ演算を介して副搬送波にマッピングされた信号を復元した後、復調及び復号化を介して受信ビット列を復元する。もし、アップリンクにＨＡＲＱを適用する場合、前記モデム６０４はＨＡＲＱパケットの検出失敗時に再送パケットとの結合のために受信データを前記保存部６０６に保存し、再送されたパケットの受信時に前記保存部６０６に保存されたデータと結合した後、復号化する。
【００９１】
前記保存部６０６はＨＡＲＱパケットの検出失敗時に受信されたＨＡＲＱパケットを保存し、再送パケットの受信時に保存されたパケットを前記モデム６０４に提供する。そして、前記保存部６０６は通信を行うために必要な設定情報を保存する。
【００９２】
前記制御部６０８は前記基地局の全般的な機能を制御する。前記制御部６０８内のリソース割当部６１０は端末にリソースを割り当て、前記制御部６０８内のメッセージ処理部６１２は端末にシステム情報を提供するためのメッセージを生成する。特に、前記制御部６０８はレンジングコードの受信によって匿名で割り当てられるリソースにＨＡＲＱを適用する。前記レンジングコードの受信によって匿名で割り当てられるリソースにＨＡＲＱを適用するための前記制御部６０８の動作を詳細に述べると次のとおりである。
【００９３】
先ず、前記メッセージ処理部６１２はＨＡＲＱ支援レンジングコードの分類情報を含むメッセージを生成し、前記制御部６０８は前記モデム６０４及び前記ＲＦ処理部６０２を介して前記メッセージをブロードキャスティングする。その後、前記モデム６０４によってレンジングチャネルでレンジングコードが検出されると、前記制御部６０８は検出されたレンジングコードがＨＡＲＱ支援レンジングコードのうち１つであるかを判断する。もし、複数のレンジングコードが検出された場合、前記制御部６０８は検出されたそれぞれのレンジングコードがＨＡＲＱ支援レンジングコードのうち１つであるかを判断する。前記検出されたレンジングコードがＨＡＲＱ支援レンジングコードのうち１つである場合、前記制御部６０８はレンジングコードを送信した端末が匿名で割り当てられたリソースにＨＡＲＱを支援する端末であると判断し、前記リソース割当部６１０は前記端末にリソースを割り当てた後、前記メッセージ処理部６１２はＨＡＲＱ関連情報を含む匿名リソース割り当てメッセージを生成する。この時、複数のＨＡＲＱ支援レンジングコードが検出された場合、前記前記メッセージ処理部６１２はそれぞれのレンジングコードに対応して複数の匿名リソース割り当てメッセージを生成するか、又は、それぞれのレンジングコードに対するリソース割り当て情報を含む１つの匿名リソース割り当てメッセージを生成できる。その後、前記匿名リソース割り当てメッセージを介して割り当てたリソースを介してレンジング要求メッセージ又は帯域要求メッセージの受信に成功しなかった場合、前記制御部６０８は最大再送回数の範囲内で前記ＨＡＲＱ関連情報を含む匿名リソース割り当てメッセージを再送する。この時、複数のレンジングコードのそれぞれに対するリソース割り当て情報を含む１つの匿名リソース割り当てメッセージが送信され、一部のレンジングコードに対応したレンジング要求メッセージ又は帯域要求ヘッダが受信されなかった場合、前記匿名リソース割り当てメッセージは前記一部に対するリソース割り当て情報を含む。
【００９４】
広帯域無線通信システムで別途のメッセージを介して端末にレンジングコード分類情報を知らせ、基地局はレンジングコードの種類に応じて新しい端末を識別することによって、既存端末には既存の方式を、ＨＡＲＱを支援する新しい端末にはＨＡＲＱ機能を支援するようにするメッセージを伝送できる。これによって、少ないオーバーヘッドで效果的に既存端末及び新しい端末を両方支援することができる。
【００９５】
一方、本発明を実施するための形態では具体的な実施形態に関して説明したが、本発明の範囲から逸脱しない限度内で様々な変形が可能であることは無論である。したがって、本発明の範囲は説明された実施形態に限定されて定められてはならず、後述する特許請求の範囲のみでなくこの特許請求の範囲と均等なものによって定められるべきである。
【符号の説明】
【００９６】
１１０，２１０  既存端末
１２０  新しい端末
１５０，２５０  基地局
２２０  新しい端末Ａ
２３０  新しい端末Ｂ
５０２，６０２  ＲＦ処理部
５０４，６０４  モデム
５０６，６０６  保存部
５０８，６０８  制御部
５１０，６１２  メッセージ処理部
６１０  リソース割当部
【図１】
2013526230.tif 000007
【図２】
2013526230.tif 000008
【図３】
2013526230.tif 000009
【図４】
2013526230.tif 000010
【図５】
2013526230.tif 000011
【図６】
2013526230.tif 000012
【国際調査報告】
2013526230.tif 000013
2013526230.tif 000014